(57)【要約】【課題】壁面の内装材を中間高さで仕切り部材を介して上下に分割し、仕切り部材の上側近傍にコンセントを配置するものがある。しかし、一度配線してしまうとコンセントの位置などを変更することが難しく、部屋の模様替えを制約したり、延長コードが部屋のすみに露出して雰囲気を損なったり、掃除が面倒になる欠点があった。【解決手段】ケースウエイＣを内壁への取付面を含むＣ型の本体１と、開口部を塞ぐキャップ２にて構成し、本体１には内部に仕切板１３を複数設けて電線、電話線、アンテナ線から選択された一乃至複数の配線を適宜分けて収納できるように構成し、別途アウトレットボックス３を本体の溝型開口部１２に突設するよう取り付けるようにした。【選択図】　　　　図１
2004027604.tif 000002
【特許請求の範囲】
【請求項１】
ケースウエイを内壁への取付面を含み全体としてＣ型をなす本体と、この本体の開口部を塞ぐキャップにて構成し、本体には内部に仕切板を複数設けて電線、電話線、アンテナ線から選択された一乃至複数の配線を適宜分けて収納できるように構成し、別途アウトレットボックスを本体の溝型開口部に突設するよう取り付けるようにしたことを特徴とする室内用配線システム。
【請求項２】
請求項１記載のケースウエイを内壁面の腰壁の上部に見切り材を兼ねるように取り付けたことを特徴とする室内用配線システム。
【請求項３】
請求項１記載のケースウエイを内壁面の下部に幅木を兼ねるように配置したことを特徴とする室内用配線システム。
【発明の詳細な説明】
【０００１】
【発明の属する技術分野】
この発明は、家庭などの内壁に横方向に配置して配線を巡らせて適宜の箇所で接続することができるようにした配線システムに関するものである。そして、接続箇所を適宜の箇所に設けることによって、例えば、ほぼ腰の高さに、配線をすることで、特に、家庭内で猫や犬などを飼育していたり、老人世帯で家庭用電気器具の接続などで腰を屈める必要がなく接続できるようにしたものである。
【０００２】
【従来の技術】
従来、家庭用の電気配線はコンクリート壁及び木造壁を問わず、ケースウエイを壁面内に埋め、特に家庭用電気製品への接続は床面に近い箇所にコンセントを配置することが多かった。
室内で猫や小型犬をペットとして飼育していると、これらの動物や幼児が脚をコードに引っ掛けたり、いたずらをしてコードを抜いたりすることがあった。
また、老人世帯であると、電気製品の接続の為に、床に近い箇所のコンセントへの接続などで腰を屈めることになるが、バランスを崩して転倒する恐れが生じたり、腰や脚に負担が掛かり苦痛の原因となったりすることがあった。
【０００３】
【発明が解決しようとする課題】
上述の課題を解決するために、特許第２９８３４６７号の発明では、壁面の内装材を中間高さで仕切り部材を介して上下に分割し、仕切り部材の上側近傍にコンセントを配置するようにした建築用壁面構造が提案されている。
これは汚れのひどくなる下側の内装材を交換可能にし、コンセントを中間高さに配するもので、配線は壁面内のケースウエイに埋設するものと認められる。
そこで、一度配線してしまうとコンセントの位置などを変更することが難しく、部屋の模様替えを制約したり、テレビやステレオなどの大型の家庭用電気機器の配置を変更することを困難にしたり、敢えて変えると、延長コードが部屋のすみに露出して雰囲気を損なったり、掃除が面倒になる欠点があった。
【０００４】
【課題を解決するための手段】
この発明は、従来のこのような不都合を解消すべく開発した室内用配線システムで、請求項１の発明の要旨とするのは、ケースウエイを内壁への取付面を含み全体としてＣ型をなす本体と、この本体の開口部を塞ぐキャップにて構成し、本体には内部に仕切板を複数設けて電線、電話線、アンテナ線から選択された一乃至複数の配線を適宜分けて収納できるように構成し、別途アウトレットボックスを本体の開口部に突設するよう取り付けるようにしたことを特徴とするものである。
請求項２の発明は、請求項１記載のケースウエイを内壁面の腰壁の上部に見切り材を兼ねるように繋げたことを特徴とし、請求項３の発明は、請求項１記載のケースウエイを内壁面の下部に幅木を兼ねるように配置したことを特徴とするものである。
【０００５】
【発明の実施の形態】
以下図面に示すこの発明の実施の形態に即して説明する。
図１は、この発明に係る室内用配線システムに関するケースウエイＣを示すものである。
ケースウエイＣは組み立て状態で断面扁平箱形をなし、プラスチックの射出成形品或いは押出成形品からなるもので、壁面への取付面１１となる平坦な面を含む断面Ｃ型をなす本体１と、本体１の開口部１２を塞ぐキャップ２により構成されるもので、開口部１２の適箇所にはアウトレットボックス３を突設するように取り付け、内部からの配線を接続するコンセントプレート４をビス５にて止めるようにしてある。アウトレットボックス３及びコンセントプレート４は一部屋に少なくとも一箇所設けるようにするが、広い部屋では複数箇所に設けるようにしてもよい。
【０００６】
ケースウエイＣの本体１は、内部の長手方向に仕切板１３、１３を一体に設けて、内部に配線する電線、電話線、アンテナ線を区画された内部に分けて収納するようにしてある。
この本体１の開口部１２の縁辺は内向きの断面Ｌ型をなす段部１２ａ、１２ａを形成して、キャップ２にて塞いだ接合面に段差が生じないようにしてある。
Ｃ型をなす本体１の上部は下方への傾斜縁１４となるようにし、下部は背面側に上向きにつながる傾斜縁１５を形成し、取り付け状態において断面三角状の隙間が生じるようにしてある。
【０００７】
キャップ２は、長手方向の上下の両側端縁は段部１２ａに重なることになり、端縁に続く内側には断面外向きの屈曲させた掛止脚２１、２１を設けてあり、屈曲させた掛止脚２１、２１の外向きの外面の幅員は開口部１２の幅員より広くなっており、段部１２ａ、１２ａの開放端内側面と掛止脚２１により挟み止めるようになっている。
そこで、キャップ２は開口部１２から強制的に嵌め込むことで掛止脚２１、２１によりほぼ面一に接合されることになる。
図示しないが内部に配線する電線、電話線、アンテナ線などの数によって仕切板１３の数を増やすことができる。この場合は厚みを増さずに上下の幅を広くすることで対応することが望ましい。さらに、一の電線のみを配線するのであれば幅を狭いものとする。
【０００８】
アウトレットボックス３は、角筒状をなし額縁状の表面板３１を備えるもので、内部からの配線を接続するコンセントプレート４をビス５にて止めるようにするための一対のボス３１ａを表面板３１の内面左右に設けてある。
コンセントプレート４表面には、詳細な図示は省略するが、タップ本体、アンテナ線用コンセント、電話回線用コンセントの夫々の差込口６、７、８が臨むことになる。
アウトレットボックス３は上下の側板３２の端縁が開口部１２の段部１２ａ、１２ａに当たり突設するもので、両側の側板３２には切欠部３２ａを設けて、キャップ２の側縁が入り込むようにしてある。切欠部３２ａを設けずに突き当たるようにしてもよいが、キャップ２の切断端を正確かつ美麗にする必要がないので、キャップ２の側端が入り込むようにした方が良い。
アウトレットボックス３を固定するには、その側板３２のケースウエイＣの本体１及びキャップ２への接合箇所に接着剤を塗布することでなす。
【０００９】
このような構成からなるケースウエイＣは、図４に示すように、部屋の駆体としてのコンクリート内壁の表面に貼着などするプラスチック製或いは木製の内壁パネルなどからなる腰壁９の上に続けて見切り材を兼ねるように配置することが望ましい。
腰壁９の高さは７０ｃｍから９０ｃｍ程度として、犬や猫などの小動物が後脚で立ち上がっても届かず、また、頑是ない幼児も手が届かず、いたずらで電源を切ったり、感電事故を起こす危険を確実に防ぐようにする。
また、動物や幼児が汚損しがちな腰壁９を交換することで内壁面全体の壁パネルを交換するような無駄を省けることができる。
【００１０】
また、小動物、幼児、老人がいない世帯では、図５に示すように部屋の床と内壁を仕切る幅木を兼ねるように配置してもよい。
これまでの説明では、電気配線、アンテナ線、電話線について、説明したが、例えば、アンテナ線では、ＣＳデシタル回線、ＵＶ回線、ＢＳ回線など様々なアンテナ線を包含するものであり、電話回線ではブロードバンド用マルチメディア配線（光ケーブル、ＩＳＤＮ、ＡＤＳＬ、ＬＡＮ）など広く含む。
さらに詳細な図示及び説明は省略するが、ガス管、水道管をケースウエイＣ内に通して、機器からの継ぎ手を差し込むことで繋がる迅速継手を介して繋げるようにしてもよい。
【００１１】
【発明の効果】
この発明は以上のような構成からなるもので、請求項１の発明では、従来室内への配線は壁面内にケースウエイを埋設して、予め適箇所にコンセントなどを設けていたのを、部屋の内壁の外にケースウエイを配して配線を巡らせるようにしたので、生活スタイルや家族構成に合わせて電源の取り出し位置等を変更することができるようになったのである。そして、電線のみではなく、電話線、アンテナ線も含めて配線することができるので、大型の家庭用電気製品の配置の変更が容易となり、受話器の配置箇所変更も煩雑な工事が不要で簡単に行えることになったのである。
【００１２】
請求項２の発明は、請求項１のケースウエイを内壁面の腰壁の上部に見切り材を兼ねるように取り付けたもので、室内で犬や猫を飼っていたり、幼児のいる家庭では、コードに掛かったり、悪戯をして抜くといったことを確実に防ぐことができるのである。また、屈むのが苦手な老人のいる世帯では事故防止のみならず快適かつ容易に接続することができることになる。
請求項３の発明では、請求項１記載のケースウエイを内壁面の下部に幅木を兼ねるように配置したので、従来の幅木より若干厚くすることで配線スペースを確保できることになり、経済的に提供できることになる。
【図面の簡単な説明】
【図１】ケースウエイの本体とキャップを示す分解斜視図である。
【図２】ケースウエイ全体の分解斜視図である。
【図３】ケースウエイの組み付け状態を示す斜視図である。
【図４】ケースウエイを腰壁の上部に続けて設置した状態を示す要部斜視図である。
【図５】ケースウエイを腰壁の上部と幅木をかねて設置した状態を示す要部斜視図である。
【符号の説明】
Ｃ　ケースウエイ
１　本体
１１　取付面
１２　開口部
１２ａ　段部
１３　仕切板
１４　傾斜縁
１５　傾斜縁
２　キャップ
２１　掛止脚
３　アウトレットボックス
３１　表面板
３２　側板
３２ａ　切欠部
６、７、８　差込口
９　腰壁
【図１】
2004027604.tif 000003
【図２】
2004027604.tif 000004
【図３】
2004027604.tif 000005
【図４】
2004027604.tif 000006
【図５】
2004027604.tif 000007